(57)【特許請求の範囲】
【請求項１】
入力信号を符号化信号にして多重化する方法であって、
上記符号化信号の復号化処理で、時刻制御を行うために用いる時刻管理情報および、時刻の基準となる同期情報を所望の値に設定するための時刻基準情報の基準となる基準時刻を発生するステップと、
発生された上記基準時刻を信号多重手段及び複数のエンコーダに供給するステップと、
供給された上記基準時刻に基づいてエンコーダの各々で入力信号を符号化処理して符号化信号を出力するステップと、
各々の上記エンコーダから出力された符号化信号を上記基準時刻に基づいて上記信号多重手段で多重化するステップと
を有することを特徴とする信号多重化方法。
【請求項２】
上記符号化信号はＭＰＥＧ２の符号化ストリームを分離してパケット化した信号であり、
上記時刻管理情報はＰＴＳ（Presentation Time Stamp）あるいはＤＴS（Decoding Time Stamp）であり、
上記時刻基準情報はＰＣＲ（プログラム時刻基準参照値）である
ことを特徴とする請求項１記載の信号多重化方法。
【請求項３】
入力信号を各々基準時刻に基づき符号化処理して符号化信号を出力するエンコーダが複数と、
上記エンコーダから出力される各々の符号化信号を基準時刻に基づいて多重化して出力する信号多重手段と、
各々の上記エンコーダ及び上記信号多重手段に基準時刻を供給する基準時刻発生手段とを備え、
各々の上記エンコーダは、
上記符号化信号の復号化処理で、時刻制御を行うために用いる時刻管理情報を上記基準時刻に基づいて生成する時刻管理情報生成手段を有し、
上記信号多重手段は、
多重化された上記符号化信号の復号化処理で、時刻の基準となる同期情報を所望の値に設定するための時刻基準情報を上記基準時刻に基づいて生成する時刻基準情報生成手段を有し、
上記基準時刻発生手段は、
上記時刻管理情報および上記時刻基準情報の基準となる基準時刻を発生して上記時刻管理情報生成手段の各々、及び上記時刻基準情報生成手段に供給することを特徴とする伝送信号生成装置。
【請求項４】
上記エンコーダは、
上記入力信号における映像信号を符号化するビデオエンコーダ手段と、
上記入力信号における音声信号を符号化するオーディオエンコーダ手段と、
符号化された当該音声信号及び映像信号を多重化する音映像多重化手段とを備え、
上記ビデオエンコーダ手段は、
上記時刻管理情報生成手段により生成された上記時刻管理情報を入力し、当該時刻管理情報に基づいて上記映像信号を符号化し、符号化された信号を上記音映像多重化手段へ出力し、
上記オーディオエンコーダ手段は、
上記時刻管理情報を入力し、当該時刻管理情報に基づいて上記音声信号を符号化し、符号化された信号を上記音映像多重化手段へ出力することを特徴とする請求項３記載の伝送信号生成装置。
【請求項５】
上記信号多重手段は、
上記各々の符号化信号を入力する複数の入力部と、
上記複数の入力部から出力される信号を多重化する多重化部と、
上記時刻基準情報生成手段により生成された上記時刻基準情報を入力し、当該時刻基準情報を上記多重化された信号に付加する時刻情報付加部と
を備えることを特徴とする請求項３記載の伝送信号生成装置。
【発明の詳細な説明】
【０００１】
【発明の属する技術分野】
この発明は信号多重化方法およびそれを用いた伝送信号生成装置に関する。詳しくは、複数チャネルの番組の映像信号や音声信号等を符号化したのち多重化して伝送する際に、伝送された信号の復号化処理において時刻制御を行うための時刻管理情報を各番組の符号化信号に付加し、各番組の符号化信号を多重化した信号に復号化処理での時刻の基準となる同期情報を所望の値に設定する時刻基準情報を付加するものとし、この時刻管理情報と時刻基準情報を等しい基準時刻に基づいて生成することにより、簡単な構成で受信側での基準時刻のずれを防止するものである。
【０００２】
【従来の技術】
ＤＶＢ（Digital Video Broadcasting）などのディジタル・テレビ放送においては、データ圧縮の方式としてＭＰＥＧ２（Moving Picture Coding Experts Group Phase 2）が採用されている。このディジタル・テレビ放送では、各家庭に対して衛星波やケーブルなどの各種の伝送路を用いて放送の分配が行われるが、データ圧縮によって、１つの伝送路で複数チャネルの番組の伝送できる多チャネル化が図られている。例えば、１つの放送衛星には複数のトランスポンダが搭載されており、１つのトランスポンダの帯域を３６Ｍｂｐｓ、番組当たりの帯域を４Ｍｂｐｓとすると、１トランスポンダ当たり９番組を同時に放送することができる。
【０００３】
ＭＰＥＧ２のシステムでは、複数の映像・音声・データを多重化して蓄積および伝送する方法が規格化（Recommendation H.222.0）されており、この規格では、誤りの発生する伝送路（例えば放送や通信）における使用を想定したトランスポートストリームＴＳと誤りのない伝送路（例えばＣＤ−ＲＯＭ等）における使用を想定したプログラムストリームＰＳが規定されている。なお、トランスポートストリームＴＳは、１８８バイト固定長の短いパケットから構成されており、パケット長が短いことから誤りに対処しやすいものとされている。
【０００４】
ここで、ディジタル・テレビ放送システムについて、図６の系統図を使用して説明する。１つの番組の映像信号や音声信号が供給されたＭＰＥＧエンコーダ１０では、この映像信号Ｄｖ1や音声信号Ｄａ1および時刻情報等のデータが符号化されてパケット化されると共に多重化されてトランスポートストリームＴＳ1が生成される。このトランスポートストリームＴＳ1はマルチプレクサ４０に供給される。また、他の番組の映像信号Ｄｖ2，Ｄｖ2や音声信号Ｄａ3，Ｄａ3が供給されたＭＰＥＧエンコーダ２０，３０でも同様にしてトランスポートストリームＴＳ2，ＴＳ3が生成されてマルチプレクサ４０に供給される。
【０００５】
マルチプレクサ４０には、「番組情報」「限定受信情報」などのディジタル・テレビ放送のサービス情報や管理情報がトランスポートストリームＴＳ4，ＴＳ5とされて供給されており、これらのトランスポートストリームＴＳ1〜ＴＳ5が多重化されて多チャネルのトランスポートストリームＴＳｍが伝送信号として生成されて伝送される。
【０００６】
なお、受信側ではデマルチプレクサ６０によって多チャネルのトランスポートストリームＴＳｍから所望のチャネルのトランスポートストリームＴＳｃが分離されて、ＭＰＥＧデコーダ７０に供給される。ＭＰＥＧデコーダ７０では、所望のチャネルのトランスポートストリームＴＳｃから映像信号のパケットと音声信号のパケットが分離される。さらに分離されたパケットの信号が復号化されて所望のチャネルの映像信号Ｄｖｃおよびや音声信号Ｄａｃを得ることができる。
【０００７】
【発明が解決しようとする課題】
ところで、マルチプレクサ４０では、複数のＭＰＥＧエンコーダからトランスポートストリームが供給されており、複数のトランスポートストリームの入力位相が時間的に一致しない場合にはトランスポートストリームはそのまま出力される。また、入力位相が時間的に一致した場合には、一致したトランスポートストリームの一方の出力タイミングが遅延されて多重化が行われる。
【０００８】
しかし、遅延されたトランスポートストリームにＭＰＥＧデコーダで基準時刻を再現するための時刻基準情報であるＰＣＲ（プログラム時刻基準参照値：Program Clock Reference）が含まれている場合には、ＰＣＲの到着によってＰＣＲのデータ等に基づきＭＰＥＧデコーダでの基準時刻がセットされるので、セットされるタイミングがおくれて基準時刻のずれを生じてしまう。
【０００９】
このため、従来の伝送信号生成装置では、図７に示すようにＰＣＲのデータ管理が行われる。なお、図７において図６と対応する部分については同一符号を付している。
【００１０】
図７のＭＰＥＧエンコーダ１０には、映像信号Ｄｖ1と音声信号Ｄａ1が供給されており、映像信号Ｄｖ1はビデオエンコーダ部１１で符号化されてビデオストリームとされる。また、音声信号Ｄａ1はオーディオエンコーダ部１２で符号化されてオーディオストリームとされる。
【００１１】
ＳＴＣ（System Time Clock）部１３は、ＭＰＥＧエンコーダ１０の時刻基準を生成する時計であり、このＳＴＣ部１３の時刻に基づきビデオエンコーダ部１１およびオーディオエンコーダ部１２では、ＭＰＥＧデコーダで用いられる再生出力の時刻管理情報であるＰＴＳ（Presentation Time Stamp）や復号の時刻管理情報であるＤＴＳ（Decoding Time Stamp）が生成される。さらに、ビデオエンコーダ部１１では、このＰＴＳやＤＴＳ等の情報とビデオストリームからＰＥＳ（Packetized Elementary Stream）パケットが生成されて多重化回路１４に供給される。また、オーディオエンコーダ部１２では、ＰＴＳの情報やオーディオストリームからＰＥＳパケットが生成されて多重化回路１４に供給される。
【００１２】
多重化回路１４では、ビデオエンコーダ部１１やオーディオエンコーダ部１２から供給されたＰＥＳパケットが多重化される。さらにＳＴＣ部１３の時刻に基づいてＰＣＲが生成されて、ＰＣＲや多重化されたＰＥＳパケットに基づいてトランスポートストリームＴＳ1が生成される。
【００１３】
同様に、ＭＰＥＧエンコーダ２０，３０では、トランスポートストリームＴＳ2やトランスポートストリームＴＳ3が生成される。なお、ＭＰＥＧエンコーダ１０，２０，３０のＳＴＣ部１３，２３，３３では、互いに独立に時刻が生成されている。
【００１４】
トランスポートストリームＴＳ1，ＴＳ2，ＴＳ3は、マルチプレクサ４０の入力部４１，４２，４３にそれぞれ供給される。また、マルチプレクサ４０はＳＴＣ部４６を有しており、このＳＴＣ部４６の時刻が入力部４１，４２，４３に供給される。
【００１５】
入力部４１，４２，４３はＦＩＦＯ（First-In First-Out）メモリを用いて構成されており、供給されたトランスポートストリームＴＳ1，ＴＳ2，ＴＳ3と共に、このトランスポートストリームＴＳ1，ＴＳ2，ＴＳ3の到着時刻が記憶される。
【００１６】
多重化回路４４では、入力部４１，４２，４３に記憶されているトランスポートストリームＴＳ1，ＴＳ2，ＴＳ3の多重化が行われる。ここで、時間的に一致するトランスポートストリームＴＳが存在するときには、一方が遅延されてから多重されてＰＣＲ修正回路４５に供給される。
【００１７】
このＰＣＲ修正回路４５では、多重化されたトランスポートストリームＴＳにＰＣＲが含まれている場合、トランスポートストリームＴＳの到着時間とＳＴＣ部４６の現在の時刻との時間差が検出される。この検出された時間差がＰＣＲに加算されることによりＰＣＲの修正が行われて伝送信号である多チャネルのトランスポートストリームＴＳｍが生成される。
【００１８】
このため、ＭＰＥＧデコーダでは、トランスポートストリームが時間的に一致して一方が遅延された場合であってもＰＣＲの修正がなされているので、このＰＣＲに基づいて設定されるＭＰＥＧデコーダでの基準時刻は、時刻のずれの発生が防止される。
【００１９】
このように、複数チャネルの伝送信号を生成する従来の伝送信号生成装置では、トランスポートストリームが時間的に一致して一方が遅延された場合であっても、ＭＰＥＧデコーダで基準時刻のずれを生じさせないようにするために、トランスポートストリームの到着時刻を記憶させたり、この到着時刻と現在の時刻との時間差を検出したり、この検出された時間差を利用してＰＣＲを修正するなどの複雑な回路が必要とされていた。
【００２０】
そこで、この発明では、受信側での基準時刻のずれを生じないように複数チャネルの伝送信号を簡単な回路構成で容易に生成できる信号多重化方法および伝送信号生成装置を提供するものである。
【００２１】
【課題を解決するための手段】
この発明に係る信号多重化方法は、入力信号を符号化信号にして多重化する方法であって、上記符号化信号の復号化処理で、時刻制御を行うために用いる時刻管理情報および、時刻の基準となる同期情報を所望の値に設定するための時刻基準情報の基準となる基準時刻を発生するステップと、発生された上記基準時刻を信号多重手段及び複数のエンコーダに供給するステップと、供給された上記基準時刻に基づいてエンコーダの各々で入力信号を符号化処理して符号化信号を出力するステップと、各々の上記エンコーダから出力された符号化信号を上記基準時刻に基づいて上記信号多重手段で多重化するステップとを有することを特徴とするものである。
【００２２】
この発明に係る信号多重化装置は、入力信号を各々基準時刻に基づき符号化処理して符号化信号を出力するエンコーダが複数と、上記エンコーダから出力される各々の符号化信号を基準時刻に基づいて多重化して出力する信号多重手段と、各々の上記エンコーダ及び上記信号多重手段に基準時刻を供給する基準時刻発生手段とを備え、各々の上記エンコーダは、上記符号化信号の復号化処理で、時刻制御を行うために用いる時刻管理情報を上記基準時刻に基づいて生成する時刻管理情報生成手段を有し、上記信号多重手段は、多重化された上記符号化信号の復号化処理で、時刻の基準となる同期情報を所望の値に設定するための時刻基準情報を上記基準時刻に基づいて生成する時刻基準情報生成手段を有し、上記基準時刻発生手段は、上記時刻管理情報および上記時刻基準情報の基準となる基準時刻を発生して上記時刻管理情報生成手段の各々、及び上記時刻基準情報生成手段に供給することを特徴とするものである。
【００２３】
この発明においては、複数チャネルの番組の映像信号や音声信号等がＭＰＥＧエンコーダで符号化されると共に、時刻管理情報生成手段でこの符号化された信号の復号化処理において再生出力の時刻制御や再生順序を制御するための時刻管理情報が生成されて付加される。この時刻管理情報が付加された各番組の符号化信号は、信号多重化手段で多重化される。この多重化された信号に、時刻基準情報生成手段で生成された復号化処理での基準時刻を再現するための時刻基準情報が付加されて、例えばＭＰＥＧ２の多チャネルのトランスポートストリームとされる。この時刻管理情報と時刻基準情報は、基準時刻発生手段で発生された時刻に基づいて生成されるので、時刻基準情報と各番組の時刻管理情報は互いに同期するものとされる。
【００２４】
【発明の実施の形態】
続いて、この発明に係る伝送信号生成装置の実施の一形態を、図面を参照して詳細に説明する。
【００２５】
図１はこの発明に係る伝送信号生成装置の一形態を示す系統図であり、例えば３つの番組を多重化して出力する場合を示している。なお、図１において図７と対応する部分については同一符号を付している。
【００２６】
図１に示す基準時刻発生手段であるステーションタイムコード発生部５０では、伝送信号生成装置の全体の基準となる時刻が発生されてＭＰＥＧエンコーダ１０ａ，２０ａ，３０ａおよびマルチプレクサ４０ａに供給される。
【００２７】
ＭＰＥＧエンコーダ１０ａには映像信号Ｄｖ1と音声信号Ｄａ1が供給されており、映像信号Ｄｖ1はビデオエンコーダ部１１で符号化されてビデオストリームとされる。また、音声信号Ｄａ1はオーディオエンコーダ部１２で符号化されてオーディオストリームとされる。
【００２８】
ＳＴＣ部１３には、ステーションタイムコード発生部５０から基準となる時刻が供給されており、この時刻に基づいてＭＰＥＧエンコーダ１０の時刻基準が生成される。このＳＴＣ部１３で生成された時刻に基づきビデオエンコーダ部１１およびオーディオエンコーダ部１２では、後述するＭＰＥＧデコーダで用いられる再生出力の時刻管理情報であるＰＴＳや復号の時刻管理情報であるＤＴＳが生成される。さらに、ビデオエンコーダ部１１では、このＰＴＳやＤＴＳ等の情報とビデオストリームからＰＥＳパケットが生成される。また、オーディオエンコーダ部１２では、ＰＴＳやＤＴＳ等の情報とオーディオストリームからＰＥＳパケットが生成される。
【００２９】
ここで、図２にＰＥＳパケットの構造を示す。図２Ａに示すビデオストリームあるいは図２Ｂに示すオーディオストリームが適当な長さに分割されて、図２Ｃに示すＰＥＳパケットが生成される。このＰＥＳパケットは図２Ｄに示す構成とされる。
【００３０】
図２Ｄにおいて、パケット開始コードは、２４ビットの固定値である開始コードと８ビットのストリームＩＤで構成されており、このストリームＩＤでパケット化されたストリームが定義される。次の１６ビットでパケットのデータ長が示される。”１０”はＭＰＥＧ２のプログラムストリームＰＳであることを示す識別コードである。次の１４ビットにはフラグ類がまとめて置かれて、これらのフラグに対応してコンディショナル・コーディングにオプションデータ類が置かれている。フラグ類に続く８ビットでＰＥＳパケットのヘッダ長が示される。コンディショナル・コーディング部には、ＰＴＳおよびＤＴＳが（３３＋７）ビットで示される。スタッフィングバイトは、ＰＴＳやＤＴＳがない場合であってもデータ長を一定とするためのダミーデータである。コンディショナル・コーディングに続いてビデオストリームやオーディオストリームあるいは番組に関する情報のデータストリームのパケットデータが置かれている。
【００３１】
このように構成されたＰＥＳパケットは多重化回路１４に供給されて多重化される。さらに、多重化回路１４では、多重化されたＰＥＳパケットが分割されてトランスポートストリームＴＳ1が生成される。
【００３２】
ここで、トランスポートストリームＴＳの構成を図３に示す。トランスストリームＴＳは、図３Ａに示すように１８８バイト固定長のトランスポートパケットから構成されており、このトランスポートパケットは、図３Ｂに示す構成とされている。
【００３３】
図３Ｂにおいて、８ビットの同期信号は、ＭＰＥＧデコーダでトランスポートパケットの先頭を検出するためのデータである。誤り表示ではこのパケット中のビットエラーの有無が示される。ユニット開始表示では、新たなＰＥＳパケットがこのパケットの後述するペイロードから始まることを示している。トランスポートパケットプライオリティはこのパケットの重要度を示すものである。１３ビットのＰＩＤ（Packet Identification）はストリーム識別情報である。スクランブル制御ではペイロードのスクランブルの有無・種別が示される。アダプテーションフィールド制御では、後述するアダプテーションフィールドおよびペイロードの有無が示される。４ビットの巡回カウンタでは、カウント情報の連続性によって、同じＰＩＤを持つパケットが途中で一部棄却されているか否かが判別される。アダプテーションフィールドは図３Ｃに示す構成とされており、このアダプテーションフィールドに続くペイロードに、分割されたＰＥＳパケットのデータが置かれている。
【００３４】
図３Ｃにおいて、アダプテーションフィールドの最初の８ビットでアダプテーションフィールド長が示される。不連続表示では、次の同じＰＩＤを有するパケットで、システムクロックがリセットされ、新たな内容となることが示される。ランダムアクセス表示は、ビデオのシーケンスヘッダまたはオーディオのフレームの始まりを示すものとされて、このランダムアクセス表示によってランダムアクセス時のエントリーポイントを検出できる。ストリーム優先表示では個別ストリームの重要部分がこのパケットのペイロードにあることが示される。ストリーム優先表示の次にフラグが設けられ、このフラグによってコンディショナル・コーディングのオプショナルフィールドが設定される。このオプショナルフィールドの後に無効データであるスタッフィングバイトが必要に応じて設けられる。
【００３５】
オプショナルフィールドには、時刻基準情報であるＰＣＲやオリジナルの番組基準時刻であるＯＰＣＲ（Original Program Clock Reference）、編集可能な点までの、同一ＰＩＤのトランスポートパケットの数を示すスプライスカウントダウン等が置かれている。
【００３６】
ＭＰＥＧエンコーダ２０ａ，３０ａでも、ＭＰＥＧエンコーダ１０ａと同様に、ステーションタイムコード発生部５０からの時刻に基づいてＳＴＣ部２３，３３で時刻基準が生成されると共に、この時刻基準を利用してビデオエンコーダ部２１，３１、オーディオエンコーダ部２２，３２でＰＥＳパケットが生成されて多重化回路２４，３４に供給される。また多重化回路２４，３４でも、多重化回路１４と同様にしてトランスポートストリームＴＳ2，ＴＳ3が生成される。
【００３７】
このようにＭＰＥＧエンコーダ１０ａ，２０ａ，３０ａで生成されたトランスポートストリームＴＳ1，ＴＳ2，ＴＳ3は、それぞれマルチプレクサ４０ａの入力部４１ａ，４２ａ，４３ａに供給される。
【００３８】
入力部４１，４２，４３はＦＩＦＯ（First-In First-Out）メモリを用いて構成されており、トランスポートストリームＴＳ1，ＴＳ2，ＴＳ3が順次記憶されると共に読み出されて多重化回路４４に供給される。
【００３９】
多重化回路４４では、入力部４１，４２，４３に記憶されているトランスポートストリームＴＳ1，ＴＳ2，ＴＳ3の多重化が行われる。ここで、時間的に一致するトランスポートストリームＴＳが存在するときには、一方が遅延されて多重されてＰＣＲ付加部４７に供給される。
【００４０】
このＰＣＲ付加部４７には、ステーションタイムコード発生部５０の基準時刻に基づきＳＴＣ部４８で生成された時刻が供給されており、多重化されたトランスポートストリームにＰＣＲが付加されて多チャネルのトランスポートストリームＴＳｍが伝送される。
【００４１】
受信側では分離化装置によって多チャネルのトランスポートストリームＴＳｍから所望の番組のトランスポートストリームＴＳｃが分離されてＭＰＥＧデコーダに供給される。ここで、ＭＰＥＧデコーダの構成を図４に示す。
【００４２】
図４において、トランスポートストリームＴＳｃは、ＭＰＥＧデコーダ７０のの分離部７１に供給されて、映像信号や音声信号のＰＥＳパケットに分離される。
【００４３】
映像信号のＰＥＳパケットは、バッファ７２を介してビデオデコーダ部７３に供給される。音声信号のＰＥＳパケットは、バッファ７４を介してオーディオデコーダ部７５に供給される。また、トランスポートストリームＴＳｃのＰＣＲがＳＴＣ部７６に供給される。
【００４４】
図５はＳＴＣ部７６の構成を示す図であり、このＳＴＣ部７６はＰＬＬ（Phase Locked Loop）で構成されている。トランスポートストリームＴＳｃのＰＣＲは、加算器７６１とカウンタ７６２に供給される。カウンタ７６２には、トランスポートストリームＴＳｃのＰＣＲの供給タイミングを示す信号ＬＤと後述する電圧制御発振器（ＶＣＯ）７６５からのシステムクロック信号ＣＫに基づいて、カウンタ７６２がＰＣＲでセットされると共に、このカウンタ７６２からセットされたＰＣＲが出力されて加算器７６１に供給される。
【００４５】
加算器７６１では、分離化装置から供給されたトランスポートストリームＴＳｃのＰＣＲとカウンタ７６２から供給されたＰＣＲの符号反転されたデータが加算されて、分離化装置から供給されたトランスポートストリームＴＳｃのＰＣＲとカウンタ７６２から供給されたＰＣＲとの誤差データがＤ／Ａ変換器７６３に供給される。Ｄ／Ａ変換器７６３に供給された誤差データはアナログ信号に変換されて低域フィルタ７６４を介して電圧制御発振器７６５に供給される。このため、電圧制御発振器７６５から出力されるシステムクロック信号ＣＫの周波数が送信側のシステムクロック信号の周波数（２７ＭＨｚ）と一致するものとされて、ＰＣＲのタイミングの精度を確保して基準時刻が正しく再現される。このカウンタ７６２から出力される基準時刻は、ビデオデコーダ部７３とオーディオデコーダ部７５に供給される。
【００４６】
ビデオデコーダ部７３およびオーディオデコーダ部７４では、ＳＴＣ部７６からの基準時刻やＰＥＳパケットのＰＴＳおよびＤＴＳに基づきＰＥＳパケットの信号の復号化が行われて映像信号Ｄｖｃや音声信号Ｄａｃが生成される。
【００４７】
このように上述の実施の形態によれば、送信側ではステーションタイムコード発生部５０で生成された全体の基準となる時刻に基づいて、ＭＰＥＧエンコーダ１０ａのＳＴＣ部１３ａ、ＭＰＥＧエンコーダ２０ａのＳＴＣ部２３ａ、ＭＰＥＧエンコーダ３０ａのＳＴＣ部３３ａおよびマルチプレクサ４０ａのＳＴＣ部４８で基準時刻が生成されるので、各チャネルのＰＴＳやＤＴＳが同期して生成されると共にＰＣＲも同期して生成されて、伝送信号である多チャネルのトランスポートストリームＴＳｍが生成される。
【００４８】
また受信側では、多チャネルのトランスポートストリームＴＳｍから選択したトランスポートストリームＴＳｃのＰＣＲに同期してシステムクロック信号が生成されると共に、ＰＣＲに同期したＰＴＳやＤＴＳに基づき信号の復号化処理が行われて、基準時刻のずれを生じることなく信号を良好に再生できる。
【００４９】
さらに、送信側では、ＴＳパケットの到着時刻を記憶しておき、実際に多重化された時刻からＰＣＲを修正する必要がないので、構成を簡単で小規模なものとすることができる。
【００５０】
【発明の効果】
この発明によれば、複数のエンコーダで得られた符号化信号のそれぞれに、この符号化信号を復号化処理する場合での再生出力の時刻制御や再生順序を制御するための時刻管理情報が付加されて信号多重化手段で多重化される。この多重化された信号に、時刻基準情報生成手段で生成された復号化処理での基準時刻を再現するための時刻基準情報が付加され伝送信号が生成される。また、時刻管理情報と時刻基準情報は、基準時刻発生手段で発生された時刻に基づいて生成されて同期するものとされる。
【００５１】
このため、各エンコーダからの符号化信号に時刻基準情報を付加して多重化する場合に必要とされる時刻基準情報を修正するための複雑な回路が不要となり、簡単な回路構成で受信側の基準時刻のずれを生じない複数チャネルの伝送信号を容易に生成できる。
【図面の簡単な説明】
【図１】この発明に係る伝送信号生成装置の構成を示す図である。
【図２】ＰＥＳパケットの構造を示す図である。
【図３】トランスポートストリームの構成を示す図である。
【図４】ＭＰＥＧデコーダ７０の構成を示す図である。
【図５】ＳＴＣ部７６の構成を示す図である。
【図６】ディジタル・テレビ放送システムの系統図である。
【図７】従来の伝送信号生成装置の構成を示す図である。
【符号の説明】
１０，１０ａ，２０，２０ａ，３０，３０ａ・・・ＭＰＥＧエンコーダ、１１，２１，３１・・・ビデオエンコーダ、１２，２２，３２・・・オーディオエンコーダ、１３，１３ａ，２３，２３ａ，３３，３３ａ，４６，４８，７６・・・ＳＴＣ部、１４，２４，３４，４４・・・多重化回路、４０，４０ａ・・・マルチプレクサ、４１，４１ａ，４２，４２ａ，４３，４３ａ・・・入力部、４５・・・ＰＣＲ修正部、４７・・・ＰＣＲ付加部、５０・・・ステーションタイムコード発生部、６０・・・デマルチプレクサ、７０・・・ＭＰＥＧデコーダ
【図１】
0003893643.tif 000002
【図２】
0003893643.tif 000003
【図３】
0003893643.tif 000004
【図４】
0003893643.tif 000005
【図５】
0003893643.tif 000006
【図６】
0003893643.tif 000007
【図７】
0003893643.tif 000008